【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
記録プレートを積層した堆積物を格納する記録プレート格納部と、前記堆積物の上から１枚ずつ前記記録プレートを取り上げて積み込み位置へ移送する記録プレート移送手段と、前記記録プレート移送手段より前記記録プレートを受け取って画像記録手段へ搬入する記録プレート給版手段と、前記画像記録手段により画像が記録された前記記録プレートを前記画像記録手段より排出する排版ユニットとを備えた印刷用記録プレート供給装置であって、前記記録プレート給版手段を、前記記録プレートの前記積み込み位置と前記記録プレートの前記画像記録手段への搬入位置との間を移動する可動部と、前記画像記録手段への搬入位置に移動した前記可動部と前記画像記録手段の間に固定され、かつ前記可動部より搬送された前記記録プレートを前記画像記録手段へ搬入する固定部とからなる給版ユニットにより構成したことを特徴とする印刷用記録プレート供給装置。
【請求項２】
前記給版ユニットの前記固定部側に、搬入された前記記録プレートを前記画像記録手段に設けられたドラムの記録プレート取り付け領域に位置決めする位置決め手段を設けてなる請求項１に記載の印刷用記録プレート供給装置。
【請求項３】
前記位置決め手段を、前記固定部の両側に設けられ、かつ前記記録プレートの側縁を押圧することにより前記記録プレートの位置決めを行う押圧ピンにより形成してなる請求項２に記載の印刷用記録プレート供給装置。
【請求項４】
前記位置決め手段を、前記固定部のほぼ中央部に上下動自在に設けられた複数の基準ピンと、前記固定部の両側に設けられ、かつ前記記録プレートの側縁を前記基準ピン側へ押圧することにより、前記基準ピンとの間で前記記録プレートの位置決めを行う押圧ピンにより形成してなる請求項２に記載の印刷用記録プレート供給装置。
【請求項５】
前記押圧ピンのうち、前記固定部の一方の側部に設けられた一方の押圧ピンを基準側として固定すると共に、前記固定部の他方の側部に設けられた他方の押圧ピンにより給版ユニット側に移動させることによって、前記記録プレートの側縁を押圧して前記記録プレートの位置決めを行うように構成したことを特徴とする請求項３に記載の印刷用記録プレート供給装置。
【請求項６】
前記排版ユニットを、前記画像記録手段より排出された前記記録プレートを受け取る記録プレート受け取り手段と、前記記録プレート受け取り手段から搬送された前記記録プレートを前記記録プレート受け取り手段の搬送方向に対して直交する方向に搬出する記録プレート搬出手段とで構成したことを特徴とする請求項１乃至請求項５のいずれか一に記載の印刷用記録プレート供給装置。
【請求項７】
前記記録プレート受け取り手段は、ベルトコンベア部により構成すると共に、前記記録プレート搬出手段は、ローラコンベア部により構成したことを特徴とする請求項６に記載の印刷用記録プレート供給装置。
【請求項８】
前記ベルトコンベア部より搬送された前記記録プレートの下流側となるローラコンベア部の端部に、搬入された前記記録プレートを次工程の所定位置へ搬出されるように位置決めする位置決めストッパを設けてなる請求項７に記載の印刷用記録プレート供給装置。
【請求項９】
前記位置決めストッパを、搬出方向と直交する方向に移動調整自在としてなる請求項８に記載の印刷用記録プレート供給装置。
【請求項１０】
前記画像記録手段と前記排版ユニットの間に、それぞれ独立して高さ調整自在な複数のガイドローラを設けて、これらガイドローラにより前記画像記録手段より排出される前記記録プレートを前記排版ユニット側へガイドしてなる請求項１乃至請求項９のいずれか一に記載の印刷用記録プレート供給装置。
【請求項１１】
前記ガイドローラの表面を弾性体により被覆するか前記ガイドローラ自体を弾性体により構成してなる請求項１０に記載の印刷用記録プレート供給装置。
【手続補正２】
【補正対象書類名】明細書
【補正対象項目名】００１４
【補正方法】変更
【補正の内容】
【００１４】
本発明の画像記録装置は、記録プレートを積層した堆積物を格納する記録プレート格納部と、前記堆積物の上から１枚ずつ前記記録プレートを取り上げて積み込み位置へ移送する記録プレート移送手段と、前記記録プレート移送手段より前記記録プレートを受け取って画像記録手段へ搬入する記録プレート給版手段と、前記画像記録手段により画像が記録された前記記録プレートを前記画像記録手段より排出する排版ユニットとを備えた印刷用記録プレート供給装置であって、前記記録プレート給版手段を、前記記録プレートの前記積み込み位置と前記記録プレートの前記画像記録手段への搬入位置との間を移動する可動部と、前記画像記録手段への搬入位置に移動した前記可動部と前記画像記録手段の間に固定され、かつ前記可動部より搬送された前記記録プレートを前記画像記録手段へ搬入する固定部とからなる給版ユニットにより構成したものである。
【手続補正３】
【補正対象書類名】明細書
【補正対象項目名】００１６
【補正方法】変更
【補正の内容】
【００１６】
請求項１に記載の本発明に係る印刷用記録プレート供給装置は、記録プレートを積層した堆積物を格納する記録プレート格納部と、前記堆積物の上から１枚ずつ前記記録プレートを取り上げて積み込み位置へ移送する記録プレート移送手段と、前記記録プレート移送手段より前記記録プレートを受け取って画像記録手段へ搬入する記録プレート給版手段と、前記画像記録手段により画像が記録された前記記録プレートを前記画像記録手段より排出する排版ユニットとを備えた印刷用記録プレート供給装置であって、前記記録プレート給版手段を、前記記録プレートの前記積み込み位置と前記記録プレートの前記画像記録手段への搬入位置との間を移動する可動部と、前記画像記録手段への搬入位置に移動した前記可動部と前記画像記録手段の間に固定され、かつ前記可動部より搬送された前記記録プレートを前記画像記録手段へ搬入する固定部とからなる給版ユニットにより構成したことを特徴とするものである。
【手続補正４】
【補正対象書類名】明細書
【補正対象項目名】００２６
【補正方法】変更
【補正の内容】
【００２６】
請求項６に記載の本発明に係る印刷用記録プレート供給装置は、請求項１乃至請求項５のいずれか一に記載の排版ユニットを、前記画像記録手段より排出された前記記録プレートを受け取る記録プレート受け取り手段と、前記記録プレート受け取り手段から搬送された前記記録プレートを前記記録プレート受け取り手段の搬送方向に対して直交する方向に搬出する記録プレート搬出手段とで構成したことを特徴とする。
【手続補正５】
【補正対象書類名】明細書
【補正対象項目名】００２７
【補正方法】変更
【補正の内容】
【００２７】
前記構成により、画像記録手段より高速で排出された記録プレートの速度を、記録プレートを受傷させることのないように減速するように構成すると共に、次工程への記録プレートの搬出が容易に位置決めされた状態で行うことができるように構成することができる。
【手続補正６】
【補正対象書類名】明細書
【補正対象項目名】００５１
【補正方法】変更
【補正の内容】
【００５１】
キャリヤ１４の一端側に設けられたブラケット１４ａには、サーボモータよりなるキャリヤ駆動源１５が設けられていて、このキャリヤ駆動源１５の回転軸（図示せず）に取り付けられたピニオン１６は、ガイドレール８ａの上面に敷設されたラック１７に噛合されており、キャリヤ駆動源１５の正逆回転に伴いキャリヤ１４全体がガイドレール８ａに沿って往復移動自在となっている。
【手続補正７】
【補正対象書類名】明細書
【補正対象項目名】００５５
【補正方法】変更
【補正の内容】
【００５５】
可動部３ａは図１に示すように、本体躯体１ａ内に設置された架台３ｃ上に設けられた移動枠３ｄを有していて、この移動枠３ｄは記録プレート移送手段８の積み込み位置Ａ（図３参照）の方向に水平移動自在となっており、移動枠３ｄの上部には、移動方向と直行する方向に複数の支持杆３ｅが移動方向に間隔を存して横架されている。
【手続補正８】
【補正対象書類名】明細書
【補正対象項目名】００６３
【補正方法】変更
【補正の内容】
【００６３】
また、２Ｗ版の記録プレート１０ｂを画像記録手段２に搬入する際には、給版ユニット３の両側に設けられた押圧ローラ１８ａの内、一方を固定した状態で、他方を移動させて記録プレート１０ｂの端縁を押し付けて、記録プレート１０ｂの位置決めをなすように構成している。
【手続補正９】
【補正対象書類名】明細書
【補正対象項目名】００７２
【補正方法】変更
【補正の内容】
【００７２】
給版ユニット３と共に記録プレート給排手段５を構成する排版ユニット４は、図１に示すように、給版ユニット３の下方に設置されていて、図１１に示すように、画像記録手段２より排出された記録プレート１０を受け取る記録プレート受け取り手段としてのベルトコンベア部４ａと、ベルトコンベア部４ａから受け取った記録プレート１０をベルトコンベア部４ａの搬送方向に対して直交する方向に搬出する記録プレート搬出手段としてのローラコンベア部４ｂとからなる。